(57)【要約】【課題】  構造物下、地下水位下の地中等の狭隘な場所での大口径場所打杭を構築する場合等に適用可能な掘削方法を得ること。【解決手段】  地下水面より低く、施工基面からの高さに制限のある狭い空間に、前記狭い空間に据え付け可能な全回転式オールケーシング掘削機を据え付け、前記全回転式オールケーシング掘削機にケーシングチューブを取り付け、リバースサーキュレーション工法の掘削に必要な回転力を前記全回転式オールケーシング掘削機から前記ケーシングチューブに伝達して回転圧入し、リバースサーキュレーション工法に準拠して水より比重の大きな溶液を循環させながら前記ケーシングチューブの回転力と連動した掘削ビットにより削り取った土砂をその溶液の循環によって地上に排出し、前記ケーシングチューブ中への地下水、土砂の流入を防ぎつつ前記ケーシングチューブの中を掘削することを特徴とする。【選択図】    図１
2005139632.tif 000002
【特許請求の範囲】
【請求項１】
地下水面より低く、施工基面からの高さに制限のある狭い空間に、前記狭い空間に据え付け可能な全回転式オールケーシング掘削機を据え付け、
前記全回転式オールケーシング掘削機にケーシングチューブを取り付け、リバースサーキュレーション工法の掘削に必要な回転力を前記全回転式オールケーシング掘削機から前記ケーシングチューブに伝達して回転圧入し、
リバースサーキュレーション工法に準拠して水より比重の大きな溶液を循環させながら前記ケーシングチューブの回転力と連動した掘削ビットにより削り取った土砂をその溶液の循環によって地上に排出し、前記ケーシングチューブ中への地下水、土砂の流入を防ぎつつ前記ケーシングチューブの中を掘削する
ことを特徴とする掘削方法。
【請求項２】
請求項１記載の掘削方法において、
前記水より比重の大きな溶液は、掘進位置の水圧を超える孔内溶液重量となるよう換算した溶液比重を地盤の透水性に合わせて増減した比重の加重材料と、沈殿防止材としての増粘材と、流動調整材としての分散材とを調合した溶液である
ことを特徴とする掘削方法。
【請求項３】
請求項１記載の掘削方法において、
前記全回転式オールケーシング掘削機にケーシングチューブを取り付け、リバースサーキュレーション工法の掘削に必要な回転力を前記全回転式オールケーシング掘削機から前記ケーシングチューブに伝達して回転圧入するに際し、
前記ケーシングチューブと前記掘削ロッドとの間に回転伝達ケリーバを取り付け、前記回転伝達ケリーバを介して前記リバースサーキュレーション工法の掘削に必要な全回転式オールケーシング掘削機の回転力を前記ケーシングチューブから掘削ロッドに伝達し、
前記ケーシングチューブと前記掘削ロッドとの間にスタビライザを取り付け、前記スタビライザを介して前記掘削ロッドおよび掘削ビッドを孔の中心に方向を固定または修正し、掘削の方向を制御して、前記リバースサーキュレーション工法の掘削に必要な全回転式オールケーシング掘削機の回転力を前記ケーシングチューブから掘削ロッドに伝達する
ことを特徴とする掘削方法。
【請求項４】
請求項１記載の掘削方法において、
前記リバースサーキュレーション工法に準拠して水より比重の大きな溶液を循環させながら前記ケーシングチューブの回転力と連動した掘削ビットにより削り取った土砂をその溶液の循環によって地上に排出し、前記ケーシングチューブ中への地下水、土砂の流入を防ぎつつ前記ケーシングチューブの中を掘削するに際し、
前記ケーシングチューブの頂部に軽量なケーシングチューブを取り付け、前記比重の高い溶液の水位とスイベルの位置を近づけ、サクションポンプにかかる負荷を小さくする
ことを特徴とする掘削方法。
【請求項５】
請求項１記載の掘削方法において、
前記掘削終了後に、前記ケーシングチューブ内に比重が水に近い溶液を注入するに際し、前記ケーシングチューブ内の前記水より比重の大きな溶液と、前記比重が水に近い溶液との間に糊状の自立してかつ流動性のある溶液層を設けて前記水より比重の大きな溶液を前記比重が水に近い溶液と置換する
ことを特徴とする掘削方法。
【請求項６】
請求項１記載の掘削方法において、
請求項５による前記水より比重の大きな溶液を前記比重が水に近い溶液に置換する作業において、掘削終了部の透水性が大きくクィックサンド現象が予測される場合に、前記掘削に先立ち、掘削終了部に止水のための地盤改良を行う
ことを特徴とする掘削方法。
【請求項７】
請求項１記載の掘削方法において、
請求項５による前記水より比重の大きな溶液を前記比重が水に近い溶液に置換する作業が終了後に、前記掘削終了後に、上下方向に第１掘削ロッドホルダーと第２掘削ロッドホルダーとを備えた掘削機器引上げ装置を前記全回転式オールケーシング掘削機の周囲に配置し、前記掘削ロッドを前記第１掘削ロッドホルダーにて係止した状態で前記全回転式オールケーシング掘削機のジャッキ力で引き上げ、引き上げられた前記掘削ロッドを第２掘削ロッドホルダーにて係止し、その後第１掘削ロッドホルダーによる係止を解除し、前記第２掘削ロッドホルダーの上部側に位置する前記掘削ロッドを撤去し、前記前記全回転式オールケーシング掘削機を元の位置に戻し、以下、次段以降の前記掘削ロッドを同様にして引き上げ、撤去する
ことを特徴とする掘削方法。
【発明の詳細な説明】
【技術分野】
【０００１】
本発明は、構造物下、地下水位下の地中等の狭隘な場所での大口径場所打杭を構築する場合等に適用可能な掘削方法に関する。
【背景技術】
【０００２】
例えば、図２８に示すように、構造物の受替え（アンダーピーニング）等で、既設構造物１の地下、すなわち地中にて大口径の場所打杭を構築する施工条件は、施工の空頭が制限された狭隘な施工空間２内での作業に加えて、地下水位３が施工基面４より上にあるというケースが多い。狭隘な施工空間２は、鋼矢板６等で周囲を囲われており、低空頭用掘削機５等の限られた機器類しか搬入できない。
【０００３】
この施工条件で、従来工法として考えられるものに、止水のための地盤改良を併用した人力深礎工法（例えば、特許文献１参照）と、低空頭用リバース工法（ＢＧリバース工法、ＴＢＨ工法等）（例えば、非特許文献１，２参照）がある。
【特許文献１】特開２００３−３７８０号公報（（０００２））
【特許文献２】特許第２５０３０４５号公報
【特許文献３】特許第２７８９２１９号公報
【特許文献４】特開平１１−２５６１５７号公報（（０００２））
【非特許文献１】「大口径ボーリング工法 - ＴＢＨ工法」（www.daikoukei.ne.jp/kouho/tbh）
【非特許文献２】社団法人日本基礎建設協会発行の「場所打ちコンクリート杭  施工指針・同解説」建設省建設経済局建設機械課／監修（３．２．３リバース工法）
【非特許文献３】国土交通省監修「建設機械等損料算定表」社団法人日本建設機械化協会
【発明の開示】
【発明が解決しようとする課題】
【０００４】
人力深礎工法は、例えば、図２９に示すように、人１０が地中に入り人力で掘削しながらライナープレート１１とリング１２とで支保工１３を組立てて土留めして行く施工法である。地上側には、簡易やぐら１４が立てられ、この簡易やぐら１４に取り付けたベビーウインチ１５でバケット１６を地中の人１０に渡し、排土している。また、地上側から送風機１７を駆動して送風管１８を介して地中内に空気を送り、地中内の水を水中ポンプ１９で地上側に送水している。
【０００５】
しかし、人力深礎工法では、完全な止水改良、地盤補強を行なわなければ、施工不可能であり、人命にもかかわる。また、ガス等の対策も必要なため、大きなコストと時間を要する。
低空頭用リバース工法（ＴＢＨ工法）は、図３０に示すように、先端にリバースビット２１を備えたリバースロッド２０をＴＢＨドリル２２にて掘削しながら、安定液タンク２３内の泥水、ベントナイト溶液等の安定液をサンドポンプ２４を介して坑内２５に送り、リバースロッド２０を介して安定液と土砂をサクションポンプ２６で吸引し、安定液タンク２３に設けた１次スクリーン２７、２次スクリーン２８、サイクロンスクリーン２９へ導き、ここで安定液と土砂とに分離し、安定液を再び坑内２５に供給し、分離した土砂を残土タンク３０へ送り、大口径掘削を可能とするものである。
【０００６】
しかし、低空頭用リバース工法（ＴＢＨ工法）は、孔内水位を地下水位より２ｍ高く保つことにより孔壁を保ち掘削する施工法のため、杭周辺を地盤改良し止水しないと施工不可能である。すなわち、リバースサーキュレーションドリルの特徴である地下水より掘削する孔内の水位を２ｍ高くしてその静水圧で孔壁が崩壊しないようにすることと、循環水に混じった粘土分によってできる孔壁の表面に付着するマッドフィルムという薄い膜によって孔壁を保つこととが、地下水下の施工のため、機能しなくなる。
【０００７】
この場合、地盤改良の方法としては、セメントミルクの混合処理工法が確実である。
しかし、構造物の地下という環境から、大きな重機が必要なＣＤＭ工法（例えば、特許文献２，３参照）に代表される機械攪拌式の施工法は、例えば、図３１に示すように、大きな重機３１を必要とするため、不可能である。
それ以外には、ジェットグラウト工法（例えば、特許文献４参照）が考えられる。ジェットグラウト工法は、例えば、図３２に示すように、ロッド３２先端に設けた噴出口３３から地盤３４中にセメントモルタル等の固結材を噴出注入し、地盤３４中の土粒子と固結材を混合固化させる地盤改良技術である。
【０００８】
しかし、ジェットグラウト工法は、高コストの上に排泥の産廃処理が多量に生じる工法であり、杭全面に渡って使用することは、大変な時間とコストを要することとなり、好ましくない。
本発明は、斯かる従来の問題点を解決するために為されたもので、その目的は、構造物下、地下水位下の地中等の狭隘な場所での大口径場所打杭を構築する場合等に適用可能な掘削方法を提供することにある。
【課題を解決するための手段】
【０００９】
請求項１に係る発明は、地下水面より低く、施工基面からの高さに制限のある狭い空間に、前記狭い空間に据え付け可能な全回転式オールケーシング掘削機を据え付け、前記全回転式オールケーシング掘削機にケーシングチューブを取り付け、リバースサーキュレーション工法の掘削に必要な回転力を前記全回転式オールケーシング掘削機から前記ケーシングチューブに伝達して回転圧入し、リバースサーキュレーション工法に準拠して水より比重の大きな溶液を循環させながら前記ケーシングチューブの回転力と連動した掘削ビットにより削り取った土砂をその溶液の循環によって地上に排出し、前記ケーシングチューブ中への地下水、土砂の流入を防ぎつつ前記ケーシングチューブの中を掘削することを特徴とする。
【００１０】
請求項２に係る発明は、請求項１記載の掘削方法において、前記水より比重の大きな溶液は、掘進位置の水圧を超える孔内溶液重量となるよう換算した溶液比重を地盤の透水性に合わせて増減した比重の加重材料と、沈殿防止材としての増粘材と、流動調整材としての分散材とを調合した溶液であることを特徴とする。
請求項３に係る発明は、請求項１記載の掘削方法において、前記全回転式オールケーシング掘削機にケーシングチューブを取り付け、リバースサーキュレーション工法の掘削に必要な回転力を前記全回転式オールケーシング掘削機から前記ケーシングチューブに伝達して回転圧入するに際し、前記ケーシングチューブと前記掘削ロッドとの間に回転伝達ケリーバを取り付け、前記回転伝達ケリーバを介して前記リバースサーキュレーション工法の掘削に必要な全回転式オールケーシング掘削機の回転力を前記ケーシングチューブから掘削ロッドに伝達し、前記ケーシングチューブと前記掘削ロッドとの間にスタビライザを取り付け、前記スタビライザを介して前記掘削ロッドおよび掘削ビッドを孔の中心に方向を固定または修正し、掘削の方向を制御して、前記リバースサーキュレーション工法の掘削に必要な全回転式オールケーシング掘削機の回転力を前記ケーシングチューブから掘削ロッドに伝達することを特徴とする。
【００１１】
請求項４に係る発明は、請求項１記載の掘削方法において、前記リバースサーキュレーション工法に準拠して水より比重の大きな溶液を循環させながら前記ケーシングチューブの回転力と連動した掘削ビットにより削り取った土砂をその溶液の循環によって地上に排出し、前記ケーシングチューブ中への地下水、土砂の流入を防ぎつつ前記ケーシングチューブの中を掘削するに際し、前記ケーシングチューブの頂部に軽量なケーシングチューブを取り付け、前記比重の高い溶液の水位とスイベルの位置を近づけ、サクションポンプにかかる負荷を小さくすることを特徴とする。
【００１２】
請求項５に係る発明は、請求項１記載の掘削方法において、前記掘削終了後に、前記ケーシングチューブ内に比重が水に近い溶液を注入するに際し、前記ケーシングチューブ内の前記水より比重の大きな溶液と、前記比重が水に近い溶液との間に糊状の自立してかつ流動性のある溶液層を設けて前記水より比重の大きな溶液を前記比重が水に近い溶液と置換することを特徴とする。
【００１３】
請求項６に係る発明は、請求項１記載の掘削方法において、請求項５による前記水より比重の大きな溶液を前記比重が水に近い溶液に置換する作業において、掘削終了部の透水性が大きくクィックサンド現象が予測される場合に、前記掘削に先立ち、掘削終了部に止水のための地盤改良を行うことを特徴とする。
請求項７に係る発明は、請求項１記載の掘削方法において、請求項５による前記水より比重の大きな溶液を前記比重が水に近い溶液に置換する作業が終了後に、前記掘削終了後に、上下方向に第１掘削ロッドホルダーと第２掘削ロッドホルダーとを備えた掘削機器引上げ装置を前記全回転式オールケーシング掘削機の周囲に配置し、前記掘削ロッドを前記第１掘削ロッドホルダーにて係止した状態で前記全回転式オールケーシング掘削機のジャッキ力で引き上げ、引き上げられた前記掘削ロッドを第２掘削ロッドホルダーにて係止し、その後第１掘削ロッドホルダーによる係止を解除し、前記第２掘削ロッドホルダーの上部側に位置する前記掘削ロッドを撤去し、前記前記全回転式オールケーシング掘削機を元の位置に戻し、以下、次段以降の前記掘削ロッドを同様にして引き上げ、撤去することを特徴とする。
【００１４】
本発明において、施工基面からの高さに制限のある狭い空間とは、主に、既設構造物の下の地下で施工する場合における施工空間をいい、目安としては、５ｍ以下の高さを指す。
また、水より比重の大きな溶液とは、リバースサーキュレーションドリル工法において使用する清水の比重が１であるため、水に対して比重が重いということを規定している。
【００１５】
また、全回転式オールケーシング掘削機とは、国土交通省監修「建設機械等損料算定表」社団法人日本建設機械化協会で定められた用語である（例えば、非特許文献３参照）。
また、リバースサーキュレーションドリル工法とは、非特許文献１等にて開示されている工法である。
【発明の効果】
【００１６】
本発明では、狭隘な空間での施工ができない全回転式オールケーシング掘削工法と、地下水面より下の施工が不可能であるリバースサーキュレーションドリル工法とを組み合わせることによって、構造物下、地下水位下の地中等の狭隘な場所での大口径場所打杭を構築する場合等に適用可能な掘削方法を可能とした。
本発明では、第一に、狭い空間（高さが低い）専用の全回転式オールケーシング掘削機を使用し、狭い空間で施工できない最大の理由であるケーシングチューブの中にグラブハンマを大型のクローラクレーンで吊って落下させ、その破壊力と破壊した土砂を掴み取る機能によってケーシングチューブ内を掘削して行く方法を、リバースサーキュレーション工法における水を循環させながらケーシングチューブの回転力と連動した掘削ビットにより削り取った土砂をその水の循環によって地上に排出し、ケーシングチューブの中を掘削して行く方法に代え、狭い空間（高さ）での施工を可能にした。
【００１７】
第二に、リバースサーキュレーションドリルの特徴である地下水より掘削する孔内の水位を２ｍ高くしてその静水圧で孔壁が崩壊しないようにすることと、循環水に混じった粘土分によってできる孔壁の表面に付着するマッドフィルムという薄い膜によって孔壁を保つという機能が、地下水下の施工のため、機能しないことから、ケーシングチューブによって孔壁を保護すると共に水より比重の重い溶液を水の代わりに使用し、ケーシングチューブ内への地下水、土砂の流入を防いで掘り進むことを可能にした。
【００１８】
第三に、掘削後コンクリートを打設する場合、ケーシングチューブ内に水より比重の重い溶液を残したままコンクリートを打設すると、比重の重い溶液とコンクリートは比重が近く、混じってしまうという不具合を、本発明では、ケーシングチューブ内の水より比重の重い溶液をコンクリートとの比重差の大きいつまり比重の小さい（水の１に近い）溶液に置き換える際に、糊状の自立してかつ流動性のある溶液の層を両者の間に設けることによって解決した。
【発明を実施するための最良の形態】
【００１９】
以下、本発明の実施形態を図面に基づいて説明する。
図１は、本発明に係る掘削方法を構造物下、地下水位下の地中における狭隘な場所での大口径場所打杭を構築する方法に適用した一実施形態の施工フローを示す。
本実施形態は、図２８と同様に、構造物の受替え（アンダーピーニング）等で、既設構造物１の地下、すなわち地中にて大口径の場所打杭を構築する施工条件において行われる。従って、図面には省略したが、施工の空頭が制限された狭隘な施工空間２内での作業に加えて、地下水位３が施工基面４より上にあり、狭隘な施工空間２は、鋼矢板６等で周囲を囲われており、低空頭用掘削機５等の限られた機器類しか搬入できない条件下にある。
【００２０】
以下、本実施形態に係る大口径場所打杭を構築する方法を施工工程に従って説明する。
なお、本実施形態では、後述する高比重溶液を使用した掘削を行った後、コンクリートを打設する場所打杭を造成する。そして、本実施形態では、比重の差が少なくまた硫酸バリウム等の加重材の粒子がセメントより細粒であるため循環溶液とコンクリートが混合してしまうことを防ぐため、高比重溶液を比重が水に近い溶液に置き換える際、杭掘削終了部の地質が透水性が大きく被圧水が存在し、クィックサンド現象が予測されるので、杭の掘削より前に予め杭掘削終了部を止水のための地盤改良を行う。
【００２１】
先ず、図１のステップＳ１および図２に示すように、杭の掘削より前に、予め掘削終了部に止水のための地盤改良をジェットグラウト工法により行う。ここでは、掘削終了部よりさらに深い位置に、定法に従ってジェットグラウト工法によりロッド５１先端に設けた噴出口５２から地盤５３中にセメントモルタル等の固結材を噴出注入し、地盤５３中の土粒子と固結材を混合固化させた改良杭５０を形成する。
【００２２】
次に、図１のステップＳ２および図３に示すように、施工基面４からの高さに制限のある狭隘な施工空間２に据え付け可能な全回転式オールケーシング掘削機５５を搬入し、施工基面４上に据え付ける。
ここで、全回転式オールケーシング掘削機５５について説明する。全回転式のオールケーシング掘削工法では、鋼製ケーシングチューブの中にグラブハンマを大型のクローラクレーンで吊って落下させ、その破壊力と破壊した土砂を掴み取る機能によって鋼製ケーシングチューブ内を掘削して行く方法であるため、狭隘な施工空間２では、鋼製ケーシングチューブの中にグラブハンマを大型のクローラクレーンで吊って落下させることができない。しかし、ここでは、全回転式オールケーシング掘削機５５により鋼製ケーシングチューブのみを回転圧入し、掘削はリバースサーキュレーション工法に準拠して行うものであるから、鋼製ケーシングチューブの中にグラブハンマを大型のクローラクレーンで吊って落下させ、その破壊力と破壊した土砂を掴み取る機能によって鋼製ケーシングチューブ内を掘削するという作業を必要としない。従って、全回転式オールケーシング掘削機５５を狭隘な施工空間２に据え付け可能にすれば良い。
【００２３】
次に、図１のステップＳ３および図４に示すように、１本目の鋼製ケーシングチューブ５６を搬入し、全回転式オールケーシング掘削機５５に取り付け、全回転式オールケーシング掘削機５５により回転して地盤５３中に圧入する。
次に、図１のステップＳ４および図５に示すように、次の鋼製ケーシングチューブ５７と掘削機器５８とを搬入し、全回転式オールケーシング掘削機５５に取り付けた１本目の鋼製ケーシングチューブ５６上にセットし、鋼製ケーシングチューブの継ぎ足しを行う。
【００２４】
ここで、掘削機器５８は、掘削ビット６０を先端に備えるとともに途中にスタビライザ６１を備えた掘削ロッド５９から成り、鋼製ケーシングチューブ５７内に装着されている。スタビライザ６１は、図１８（Ａ），（Ｂ）に示すように、掘削ロッド５９の側部に油圧シリンダによって回動できるように軸支されており、鋼製ケーシングチューブ５７内に挿入する際には、図１８（Ａ）に示すように、掘削ロッド５９の側部に沿って位置し、鋼製ケーシングチューブ５７内に挿入後には、図１８（Ｂ）に示すように、回動して掘削ロッド５９の側部から径方向へ突出して鋼製ケーシングチューブ５７の内壁面に密着し、鋼製ケーシングチューブ５７に与えられる回転力を掘削ロッド５９に伝達するように構成されている。すなわち、スタビライザ６１は、鋼製ケーシングチューブ５７に対して着脱可能な機能を備え、掘削器具５８の先端に位置する地盤５３を直接削り掘って行く掘削ビット６０を鋼製ケーシングチューブ５７に固定し、全回転式オールケーシング掘削機５５の回転力を鋼製ケーシングチューブ５７に伝達でき、かつ、杭の掘削断面の中心の位置を保持することができる機能を持っている。
【００２５】
次に、図１のステップＳ５および図６に示すように、継ぎ足された１本目の鋼製ケーシングチューブ５６と次の鋼製ケーシングチューブ５７とを、全回転式オールケーシング掘削機５５により回転して地盤５３中に圧入する。
次に、図１のステップＳ６および図７に示すように、次の鋼製ケーシングチューブ６２と掘削機器６３とを搬入し、全回転式オールケーシング掘削機５５にセットされた鋼製ケーシングチューブ５７上にセットし、鋼製ケーシングチューブの継ぎ足しを行う。
【００２６】
ここで、掘削機器６３は、スイベル６４と、回転伝達ケリーバ６５と、掘削ロッド６６から成り、鋼製ケーシングチューブ６２内に装着されている。回転伝達ケリーバ６５は、図１９（Ａ），（Ｂ）に示すように、矩形状に配した４枚の板材から成るリング部材６７と、リング部材６７の各交点を通って４枚の板材を十文字状に固定して成る回転伝達部材６８と、回転伝達部材６８の中央部に位置し、掘削ロッド挿通穴７０を有する連結部６９と、連結部６９に傾倒自在に取り付けた一対の係止部材７１とで構成されている。すなわち、回転伝達部材６８は、各先端部６８ａが鋼製ケーシングチューブ６２の内面に当接するように構成されている。回転伝達ケリーバ６５は、頂上に取り付けてゆく鋼製ケーシングチューブ６２と掘削器具６３の掘削ロッド６６とを固定し、全回転式オールケーシング掘削機５５の回転力を鋼製ケーシングチューブ６２から掘削ロッド６６に伝達できる構造を備えている。また、回転伝達ケリーバ６５は、鋼製ケーシングチューブ６２と掘削ロッド６６とに対して着脱可能な機能を備えている。回転伝達ケリーバ６５は、掘削時には、図１９（Ａ）に示すように、一対の係止部材７１を掘削ロッド挿入穴７０内に挿入した掘削ロッド６６側へ倒して掘削ロッド６６を挟持し、ロッド着脱時には、図１９（Ｂ）に示すように、一対の係止部材７１を連結部６９上に起立させて掘削ロッド６６が掘削ロッド挿入穴７０から自由に移動できるようにする。
【００２７】
次に、図１のステップＳ７および図８に示すように、嵩上げ用水密軽量鋼製ケーシングチューブ７２を搬入し、鋼製ケーシングチューブ６２の上にセットし、スイベル６４にスイベルホース７３を取り付け、嵩上げ用水密軽量鋼製ケーシングチューブ７２に高比重溶液送水ホース７４を配置する。また、回転伝達ケリーバ６５の一対の係止部材７１は、図１９（Ａ）に示すように、掘削ロッド６６側に倒され、全回転式オールケーシング掘削機５５の回転力を鋼製ケーシングチューブ６２から掘削ロッド６６に伝達できるようにされる。
【００２８】
ここで、スイベルホース７３および高比重溶液送水ホース７４は、図２０に示すように、リバースサーキュレーション工法に準拠した循環系の高比重液循環装置に連絡している。スイベルホース７３は、サクションポンプ７５に連絡している。サクションポンプ７５は、スクリーンを備えた固液分離装置７６に連絡し、分離された土砂を残土タンク７７へ排出する。また、固液分離装置７６で分離された高比重溶液は、循環槽７６ａを循環してさらに土砂を沈殿させる。循環槽７６ａに沈殿した土砂は、クラムセル７７ａにて残土タンク７７に排出される。土砂が分離した高比重溶液は、循環槽７６ａに一旦溜められ、その溶液の性質すなわち比重、粘性、成分を測定し、不足する成分（加重材、増粘材、分散材、水など）の配合を計算し、それに基づいてベントナイトミキサ７８にて加重材と貯水槽７９にて溜められた増粘材と分散材とを調合して水に溶解させた溶液を混合し、循環槽７６ａに溜められた高比重溶液の成分の不足分を補った高比重溶液を作製する。調泥槽８０にて貯水槽７９とベントナイトミキサ７８から送られる両溶液を混合し、計画した高比重溶液に調整して高比重溶液送水ホース７４を介して嵩上げ用水密軽量鋼製ケーシングチューブ７２に送られ、この経路を循環するように構成されている。
【００２９】
高比重溶液を循環させるサクションポンプ７５は、高比重溶液の比重の大きさによってその能力を超えることも考えられる。そこで、本実施形態では、掘削器具６３の頂上に位置するスイベル６４の位置と鋼製ケーシングチューブ６２内の比重の高い溶液の水位を近づけ、スイベル６４を溶液中に水没させることによりサクションポンプ７５にかかる負荷を小さくするために、人力にて移動可能な軽量の嵩上げ用水密軽量鋼製ケーシングチューブ７２を取り付け、鋼製ケーシングチューブ６２の施工基面上の突出高さおよびその内部の高比重溶液の水位を嵩上げしている。なお、嵩上げ用水密軽量鋼製ケーシングチューブ７２は、樹脂製またはプラスチック製でも良い。
【００３０】
また、高比重溶液は、例えば、硫酸バリウム（比重４．２）等の加重材と、沈殿防止材としての増粘剤および流動調整材としての分散剤を調合して沈殿しずらくしながら比重を大きくした溶液である。
ここで、地下水面３が施工基面４より上にあるため、図２１に示すように、掘削に伴いかかる水圧差を施工基面位と地下水位との差（水頭差）Ｈと地下水の影響を受ける立坑の山留および遮水壁として設置してある鋼矢板ないしは連続地中壁の遮水効果のなくなる深さから５ｍ単位で施工基面４からの掘進長Ｌから（Ｌ＋Ｈ）／Ｌの式にて求める比重に地盤の透水性に合わせて１〜２割増減した比重の硫酸バリウム等の加重材料と沈殿防止材としての増粘材および流動調整材としての分散材を調合した高比重溶液を循環水として、掘進地点での水圧を抑えることが可能となる。
【００３１】
次に、図１のステップＳ８および図９に示すように、高比重溶液を高比重溶液送水ホース７４を介して嵩上げ用水密軽量鋼製ケーシングチューブ７２内に注ぎ込み、地盤５３を掘削する掘削ビット６０の先端から、中空となっている掘削ロッド６６の中を地上のサクションポンプ７５によって吸上げて地上に移送し、掘削ビット６０先端で削り取った掘り屑を排出するリバースサーキュレーション工法に準拠して高比重溶液を循環することにより水圧の高い地盤を掘削する。
【００３２】
この過程で必要となる孔壁の崩壊を防止保護するために、鋼製ケーシングチューブ５７を全回転式オールケーシング掘削機５５により挿入し、次に次の鋼製ケーシングチューブ６２を継ぎ足し、全回転式オールケーシング掘削機５５により挿入するという操作を行う。これにより、地下水圧を抑える処理を杭全面にわたって地盤改良を行うという処理を行わずに達成することが可能となる。
【００３３】
次に、図１のステップＳ９および図１０に示すように、全回転式オールケーシング掘削機５５を停止するとともにリバースサーキュレーション工法に準拠する高比重溶液の循環を停止し、嵩上げ用水密軽量鋼製ケーシングチューブ７２およびスイベル６４を取り外す。
次に、図１のステップＳ１０および図１１に示すように、次の鋼製ケーシングチューブ８１と掘削機器８２とを搬入し、全回転式オールケーシング掘削機５５にセットされた鋼製ケーシングチューブ６２上にセットし、鋼製ケーシングチューブの継ぎ足しを行う。
【００３４】
ここで、掘削機器８２は、スイベル８３と、回転伝達ケリーバ８４と、掘削ロッド８５から成り、鋼製ケーシングチューブ８１内に装着されている。なお、掘削機器８２は、図７に示す掘削機器６３と同様に構成されている。従って、回転伝達ケリーバ８４は、回転伝達ケリーバ６５と同様であるから詳細説明は省略する。
次に、図１のステップＳ１１および図１２、図１３に示すように、スイベル８３にスイベルホース７３を取り付け、鋼製ケーシングチューブ８１内に高比重溶液送水ホース７４を配置する。なお、図１のステップＳ７および図８で示した嵩上げ用水密軽量鋼製ケーシングチューブ７２の取り付けは、施工状況に応じて行われる。従って、ここでは、嵩上げ用水密軽量鋼製ケーシングチューブを用いない場合について説明する。
【００３５】
この図１のステップＳ１１によって、杭底部まで達しなかった場合には、図１のステップＳ９に戻り、さらに次の鋼製ケーシングチューブの継ぎ足しを行い、鋼製ケーシングチューブによる回転圧入と高比重溶液循環による掘削を行う。すなわち、図１のステップＳ９〜ステップＳ１１を繰り返して、掘進していくこととなる。
次に、図１のステップＳ１２および図１４に示すように、掘削が完了すると、全回転式オールケーシング掘削機５５を停止するとともにリバースサーキュレーション工法に準拠する高比重溶液の循環を停止する。
【００３６】
次に、図１のステップＳ１３および図１５，図２２に示すように、高比重溶液を使用した掘削後、コンクリートを打設する場所打杭を造成する。ここでは、杭掘削終了後、高比重溶液Ａを比重の低い（１．０１〜１．０５）ベントナイトまたは増粘材を含んだ溶液Ｂに置き換えてコンクリートの品質を保つことと、その置き換えに際し、高比重溶液Ａと比重の低い溶液Ｂが混合しないように、その間にベントナイトとポリマー系の増粘剤を調合して糊状の自立してしかも流動性のある溶液Ｃの層を設けて、異なる比重の溶液の置換を行なう。
【００３７】
例えば、スイベルホース７３を低比重粘性溶液を送水する装置に取り付け、高比重溶液送水ホース７４を高比重溶液を回収する装置に取り付け、先ず、図２２（Ａ），（Ｂ）に示すように、スイベルホース７３から流動性のある溶液Ｃを送り、鋼製ケーシングチューブ内の高比重溶Ａを地上側へ押し上げ、続いて、比重の低い溶液Ｂをスイベルホース７３から送り、流動性のある溶液Ｃを中間層として鋼製ケーシングチューブ内の高比重溶Ａを地上側へ押し上げ、鋼製ケーシングチューブ内を比重の低い溶液Ｂに置き換える。
【００３８】
次に、図１のステップＳ１４および図１６，図１７，図２３ないし図２７に示すように、全回転式オールケーシング掘削機５５のジャッキ５５ｂを使用し、掘削機器（掘削ロッド５９，６６，８５、スタビライザ６１、掘削ビット６０）をケーシングチューブ５７，６２，８１から外し、引き上げ、撤去する。
ここで、掘削機器（掘削ロッド５９，６６，８５、スタビライザ６１、掘削ビット６０）を引上げ撤去する際、施工空間２の空頭の制限から４．９ｔ程度のクレーンまたはフォークリフトの荷揚げ機械しか使用できず、掘削機器（掘削ロッド５９，６６，８５、スタビライザ６１、掘削ビット６０）の全重量がその荷揚げ機械の荷揚げ能力制限を超える場合に、低空頭用全回転式オールケーシング掘削機５５のジャッキ力とストロークを利用して掘削機器（掘削ロッド５９，６６，８５、スタビライザ６１、掘削ビット６０）を引上げる掘削器具引上げ装置９０を用いる。
【００３９】
掘削器具引上げ装置９０は、図２３ないし図２５に示すように、全回転式オールケーシング掘削機５５のベース５５ａとジャッキ５５ｂにより移動する部分と接触しないように全回転式オールケーシング掘削機５５の周囲にＨ鋼材９２を固定し組み立てた掘削機器（掘削ロッド５９，６６，８５、スタビライザ６１、掘削ビット６０）の全重量をその頂上の梁９１ａ，９１ａの中央に負担しても十分な強度に設計された構台９１と、全回転式オールケーシング掘削機５５の上部に掘削ロッド８５を受けるＨ鋼材を井桁状に組み立てた台座９４を設置し、その上に掘削ロッド８５との凹凸状接触面を持ち、掘削ロッド８５を引上げる時は掘削ロッド８５を締めるようになって固定し、全回転式オールケーシング掘削機５５のジャッキ５５ｂ、５５が下がる時には緩んで外れる機構を持つ第１掘削ロッドホルダー９３と、構台９１の頂上のＨ鋼の梁９１ａ，９１ａにも全回転式オールケーシング掘削機５５のジャッキ５５ｂと第１掘削ロッドホルダー９３によって引上げられた掘削ロッド８５が下に落ちないように固定する第２掘削ロッドホルダー９５とで構成されている。
【００４０】
ここで、第１掘削ロッドホルダー９３は、凹凸状接触面を有する一対の係止部材９３ａ，９３ａを掘削ロッド８５を挟んで配置するとともに、掘削ロッド８５に対して傾倒自在となるように台座９４に軸支されている。また、第２掘削ロッドホルダー９５は、凹凸状接触面を有する一対の係止部材９５ａ，９５ａを掘削ロッド８５を挟んで配置するとともに、掘削ロッド８５に対して傾倒自在となるように２本のＨ鋼材から成る台座９６に軸支されている。
【００４１】
次に、掘削器具引上げ装置９０を用いて掘削機器（掘削ロッド５９，６６，８５、スタビライザ６１、掘削ビット６０）をケーシングチューブ５７，６２，８１から外し、引き上げ、撤去する方法について説明する。
先ず、図２３に示すように、第１掘削ロッドホルダー９３の一対の係止部材９３ａ，９３ａを掘削ロッド８５に向かって回動し掘削ロッド８５を係止する。次に、第２掘削ロッドホルダー９５の一対の係止部材９５ａ，９５ａを掘削ロッド８５から遠ざかる方向に回動する。これによって、掘削ロッド８５は、第１掘削ロッドホルダー９３に係止された状態となる。
【００４２】
次に、図２６に示すように、低空頭用全回転式オールケーシング掘削機５５のジャッキ５５ｂを駆動して掘削ロッド８５を所定の位置まで引き上げる。そして、その位置において、図２７に示すように、第２掘削ロッドホルダー９５の一対の係止部材９５ａ，９５ａを掘削ロッド８５に向かって回動し掘削ロッド８５を挟持する。次いで、第１掘削ロッドホルダー９３の一対の係止部材９３ａ，９３ａを掘削ロッド８５から遠ざかる方向に回動する。
【００４３】
なお、掘削ロッド８５の長さがジャッキ５５ｂのストロークより長い場合には、低空頭用全回転式オールケーシング掘削機５５のジャッキ５５ｂを駆動して掘削ロッド８５を所定の位置まで引き上げ、その位置において、第２掘削ロッドホルダー９５の一対の係止部材９５ａ，９５ａを掘削ロッド８５に向かって回動し掘削ロッド８５を挟持し、次いで、第１掘削ロッドホルダー９３の一対の係止部材９３ａ，９３ａを掘削ロッド８５から遠ざかる方向に回動し、ジャッキ５５ｂを元の位置に戻し、その後、再び、第１掘削ホルダー９３で掘削ロッド８５を挟持し、第２掘削ロッドホルダー９５による挟持を解除し、ジャッキ５５ｂによる引き上げ力で掘削ロッド８５を引き上げるという操作を繰り返すことも可能である。
【００４４】
次に、図２７に示すように、第２掘削ロッドホルダー９５で係止する位置から上方の掘削ロッド８５を分離し、４．９ｔ程度の低空頭型クローラクレーン９７にて撤去する。その後、ジャッキ５５ｂを元の位置に戻し、再び、第１掘削ホルダー９３で掘削ロッド８５を挟持し、第２掘削ロッドホルダー９５による挟持を解除する。
次に、図２６に示す工程と図２７に示す工程とを順次繰り返し、掘削ロッド８５，６６，５９をジャッキ５５ｂによる引き上げ力で引き上げ、低空頭型クローラクレーン９７にて撤去する。最後に、スタビライザ６１、掘削ビット６０を撤去する。
【００４５】
以上によって、地中での場所杭打が完了する。
なお、本実施形態では、杭の掘削より前に予め杭掘削終了部を止水のための地盤改良を行ったが、本発明はこれに限るものではなく、地盤改良を行わないものであっても良い。
【図面の簡単な説明】
【００４６】
【図１】本発明に係る掘削方法を構造物下、地下水位下の地中における狭隘な場所での大口径場所打杭を構築する方法に適用した一実施形態の施工フローである。
【図２】本実施形態のステップＳ１において、杭の掘削より前に、予め掘削終了部に止水のための地盤改良をジェットグラウト工法により行う説明図である。
【図３】本実施形態のステップＳ２において、施工基面からの高さに制限のある狭隘な施工空間に据え付け可能な全回転式オールケーシング掘削機を搬入し、施工基面上に据え付ける状態を示す説明図である。
【図４】本実施形態のステップＳ３において、１本目の鋼製ケーシングチューブを搬入し、全回転式オールケーシング掘削機に取り付け、全回転式オールケーシング掘削機により回転して地盤中に圧入する状態を示す説明図である。
【図５】本実施形態のステップＳ４において、次の鋼製ケーシングチューブと掘削機器とを搬入し、全回転式オールケーシング掘削機に取り付けた１本目の鋼製ケーシングチューブ上にセットし、鋼製ケーシングチューブの継ぎ足しを行う状態を示す説明図である。
【図６】本実施形態のステップＳ５において、継ぎ足された１本目の鋼製ケーシングチューブと次の鋼製ケーシングチューブとを、全回転式オールケーシング掘削機により回転して地盤中に圧入する状態を示す説明図である。
【図７】本実施形態のステップＳ６において、次の鋼製ケーシングチューブと掘削機器とを搬入し、全回転式オールケーシング掘削機にセットされた鋼製ケーシングチューブ上にセットし、鋼製ケーシングチューブの継ぎ足しを行う状態を示す説明図である。
【図８】本実施形態のステップＳ７において、嵩上げ用水密軽量鋼製ケーシングチューブを搬入し、鋼製ケーシングチューブの上にセットし、スイベルにスイベルホースを取り付け、嵩上げ用水密軽量鋼製ケーシングチューブに高比重溶液送水ホースを配置し、回転伝達ケリーバの一対の係止部材を掘削ロッド側に倒し、全回転式オールケーシング掘削機の回転力を鋼製ケーシングチューブから掘削ロッドに伝達できるようにした状態を示す説明図である。
【図９】本実施形態のステップＳ８において、高比重溶液を高比重溶液送水ホースを介して嵩上げ用水密軽量鋼製ケーシングチューブに注ぎ込み、地盤を掘削する掘削ビットの先端から、中空となっている掘削ロッドの中を地上のサクションポンプによって吸上げて地上に移送し、掘削ビット先端で削り取った掘り屑を排出するリバースサーキュレーション工法に準拠して高比重溶液を循環することにより水圧の高い地盤を掘削する状態を示す説明図である。
【図１０】本実施形態のステップＳ９において、全回転式オールケーシング掘削機を停止するとともにリバースサーキュレーション工法に準拠する高比重溶液の循環を停止し、嵩上げ用水密軽量鋼製ケーシングチューブおよびスイベルを取り外す状態を示す説明図である。
【図１１】本実施形態のステップＳ１０において、次の鋼製ケーシングチューブと掘削機器とを搬入し、全回転式オールケーシング掘削機にセットされた鋼製ケーシングチューブ上にセットし、鋼製ケーシングチューブの継ぎ足しを行う状態を示す説明図である。
【図１２】本実施形態のステップＳ１１において、スイベルにスイベルホースを取り付け、鋼製ケーシングチューブ内に高比重溶液送水ホースを配置する状態を示す説明図である。
【図１３】本実施形態のステップＳ１１において、スイベルにスイベルホースを取り付け、鋼製ケーシングチューブ内に高比重溶液送水ホースを配置する状態を示す説明図である。
【図１４】本実施形態のステップＳ１２において、掘削が完了すると、全回転式オールケーシング掘削機を停止するとともにリバースサーキュレーション工法に準拠する高比重溶液の循環を停止する状態を示す説明図である。
【図１５】本実施形態のステップＳ１３において、高比重溶液を使用した掘削後、コンクリートを打設する場所打杭を造成する状態を示す説明図である。
【図１６】本実施形態のステップＳ１４において、全回転式オールケーシング掘削機のジャッキを使用し、掘削機器（掘削ロッド、スタビライザ、掘削ビット）をケーシングチューブから外し、引き上げ、撤去する状態を示す説明図である。高比重溶液を使用した掘削後、コンクリートを打設する場所打杭を造成する状態を示す説明図である。
【図１７】本実施形態のステップＳ１４において、全回転式オールケーシング掘削機のジャッキを使用し、掘削機器（掘削ロッド、スタビライザ、掘削ビット）をケーシングチューブから外し、引き上げ、撤去する状態を示す説明図である。高比重溶液を使用した掘削後、コンクリートを打設する場所打杭を造成する状態を示す説明図である。
【図１８】本実施形態において用いるスタビライザを備えた掘削ロッドを示し、（Ａ）は、スタビライザが掘削ロッドの側部に沿って位置し、（Ｂ）は、回動して掘削ロッドの側部から経方向へ突出して鋼製ケーシングチューブの内壁面に密着し、鋼製ケーシングチューブに与えられる回転力を掘削ロッドに伝達する状態を示す説明図である。
【図１９】本実施形態において用いる回転伝達ケリーバを示し、（Ａ）は、掘削時、（Ｂ）はロッド着脱時を示す説明図である。
【図２０】本実施形態において用いるリバースサーキュレーション工法に準拠した循環系の高比重液循環装置を示す説明図である。
【図２１】本実施形態における水頭差Ｈと地下水の影響を受ける立坑の山留および遮水壁として設置してある鋼矢板ないしは連続地中壁の遮水効果のなくなる深さから５ｍ単位で施工基面からの掘進長Ｌとの関係を示す説明図である。
【図２２】本実施形態のステップＳ１３において、高比重溶液を可塑性溶液で絶縁層を作り、低比重粘性溶液に置き換える方法を示し、（Ａ），（Ｂ）は、流動性のある溶液を中間層として鋼製ケーシングチューブ内の高比重溶を地上側へ押し上げ、鋼製ケーシングチューブ内を比重の低い溶液に置き換える状態を示す説明図である。
【図２３】本実施形態のステップＳ１３において用いる掘削器具引上げ装置を示す側面図である。
【図２４】本実施形態のステップＳ１３において用いる掘削器具引上げ装置を示す平面図である。
【図２５】本実施形態のステップＳ１３において用いる掘削器具引上げ装置の第１掘削ロッドホルダーを示す平面図である。
【図２６】本実施形態のステップＳ１３において、低空頭用全回転式オールケーシング掘削機のジャッキにより掘削器具引上げ装置の第１掘削ロッドホルダーを用いて掘削ロッドを引き上げる状態を示す説明図である。
【図２７】本実施形態のステップＳ１３において、第２掘削ロッドホルダーで掘削ロッドを保持した状態で低空頭用全回転式オールケーシング掘削機のジャッキを元に戻す状態を示す説明図である。
【図２８】従来の構造物の受替え（アンダーピーニング）等で、既設構造物の地下、すなわち地中にて大口径の場所打杭を構築する施工条件を示す説明図である。
【図２９】人力深礎工法を示す説明図である。
【図３０】低空頭用リバース工法（ＴＢＨ工法）を示す説明図である。
【図３１】ＣＤＭ工法を示す説明図である。
【図３２】ジェットグラウト工法を示す説明図である。
【符号の説明】
【００４７】
１  既設構造物
２  施工空間
３  地下水位
４  施工基面
５  低空頭用掘削機
６  鋼矢板
５０  改良杭
５１  ロッド
５２  噴出口
５３  地盤
５５  全回転式オールケーシング掘削機
５５ｂ  ジャッキ
５６  １本目の鋼製ケーシングチューブ
５７，６２，８１  次の鋼製ケーシングチューブ
５８，６３，８２  掘削機器
６０  掘削ビット
６１  スタビライザ
６４，８３  スイベル
６５，８４  回転伝達ケリーバ
６６，８５  掘削ロッド
６７  リング部材
６８  回転伝達部材
６９  連結部
７０  掘削ロッド挿通穴
７１，９３ａ，９５ａ  一対の係止部材
７２  嵩上げ用水密軽量鋼製ケーシングチューブ
７３  スイベルホース
７４  高比重溶液送水ホース
７５  サクションポンプ
７６  固液分離装置
７７  残土タンク
７９  貯水槽
８０  調泥槽
Ａ  高比重溶液
Ｂ  比重の低い溶液
Ｃ  流動性のある溶液
９０  掘削器具引上げ装置
９１  構台
９１ａ  梁
９３  第１掘削ロッドホルダー
９４，９６  台座
９５  第２掘削ロッドホルダー
９７  低空頭型クローラクレーン
【図１】
2005139632.tif 000003
【図２】
2005139632.tif 000004
【図３】
2005139632.tif 000005
【図４】
2005139632.tif 000006
【図５】
2005139632.tif 000007
【図６】
2005139632.tif 000008
【図７】
2005139632.tif 000009
【図８】
2005139632.tif 000010
【図９】
2005139632.tif 000011
【図１０】
2005139632.tif 000012
【図１１】
2005139632.tif 000013
【図１２】
2005139632.tif 000014
【図１３】
2005139632.tif 000015
【図１４】
2005139632.tif 000016
【図１５】
2005139632.tif 000017
【図１６】
2005139632.tif 000018
【図１７】
2005139632.tif 000019
【図１８】
2005139632.tif 000020
【図１９】
2005139632.tif 000021
【図２０】
2005139632.tif 000022
【図２１】
2005139632.tif 000023
【図２２】
2005139632.tif 000024
【図２３】
2005139632.tif 000025
【図２４】
2005139632.tif 000026
【図２５】
2005139632.tif 000027
【図２６】
2005139632.tif 000028
【図２７】
2005139632.tif 000029
【図２８】
2005139632.tif 000030
【図２９】
2005139632.tif 000031
【図３０】
2005139632.tif 000032
【図３１】
2005139632.tif 000033
【図３２】
2005139632.tif 000034